(57)【特許請求の範囲】
【請求項１】
燃焼排気に含まれる水蒸気の凝縮により生成されたドレンを通過させるように設けられ且つ内蔵した中和剤により前記ドレンを中和するドレン中和容器(2)と、このドレン中和容器(2)を前記燃焼排気の熱に基づいて加熱する加熱手段(4)とを具備し、
前記燃焼排気を生成するバーナ装置(40)と、前記燃焼排気からの吸熱により通水管内の水を昇温する熱交換器(1a)と、を内蔵した熱交換装置(1)が設けられ、前記ドレン中和容器(2)は、前記吸熱により前記熱交換器(1a)の表面に生じたドレンを前記熱交換装置(1)から排出するドレン排出経路(11)に設けられ、前記加熱手段(4)は、前記通水管を通過した温水によって前記ドレン中和容器(2)を加熱する構成であり、
前記中和剤の反応促進の必要性を検知する検知手段(5)と、この検知手段(5)の検知出力に応答して前記加熱手段(4)を能動化させ且つ前記加熱手段における温水の温度制御を行う制御手段(6)とを具備するドレン中和容器の保温装置。
【請求項２】
前記温水は、前記ドレン中和容器(2)の外面に巻き付けられた加熱管部(31)を通過する請求項１に記載のドレン中和容器の保温装置。
【請求項３】
前記温水は、前記ドレン中和容器(2)の構成壁の内面と外面との間に設けられる通水路(32)を通過する請求項１に記載のドレン中和容器の保温装置。
【請求項４】
前記温水は、前記ドレン中和容器(2)の構成壁を貫通してその内部に挿通される加熱管部(31)を通過する請求項１に記載のドレン中和容器の保温装置。
【発明の詳細な説明】
【０００１】
【発明の属する技術分野】
この発明は、ドレン中和容器の保温装置、特に、燃焼排気中の水蒸気の凝縮により生成されるドレンを中和する為のドレン中和容器を保温する装置に関するものである。
【０００２】
【従来の技術】
図１５は、従来の給湯器に於ける熱交換装置(1)とドレン中和容器(2)の説明図である。同図に示すように、熱交換装置(1)は、缶体(10)内に主熱交換器(12)及び副熱交換器(13)を収容した構成であり、缶体(10)の上端部には、主・副熱交換器(12)(13)に対して燃焼排気を供給するバーナ装置(40)が設けられている。
【０００３】
この熱交換装置(1) では、前記燃焼排気の熱が主・副熱交換器(12)(13)の通水管により吸収される。主・副熱交換器(12)(13)では、前記燃焼排気に含まれる水蒸気が露点以下となるまで前記燃焼排気から吸熱される。従って、この熱交換装置(1) の熱交換効率が高いものとなっている。
一方、前記水蒸気が露点以下まで冷やされることから、前記水蒸気が凝縮されて、前記通水管の表面にドレンが付着する。このドレンは、缶体(10)に接続されたドレン排出経路(11)を介して熱交換装置(1) から排出される。
【０００４】
そして、前記ドレンが生成されるときに、前記燃焼排気に含まれる窒素酸化物等の酸性成分が溶け込むものとなる。このドレンを中和する為の中和剤を内蔵したドレン中和容器(2) がドレン排出経路(11)に設けられている。
従って、熱交換装置(1) からドレン排出経路(11)に排出されたドレンは、ドレン中和容器(2) 内を通過する際、前記中和剤と接触するものとなる。これにより、前記ドレン中の酸性成分が中和される。
【０００５】
【発明が解決しようとする課題】
ところが、この従来の技術では、冬期に気温が低くなると、ドレン中和容器(2) が冷やされてその内部が低温となる。ドレン中和容器(2) 内の中和剤は、その温度が所定温度以下になると、前記ドレンとの反応度合いが極端に低下するから、前記した低温条件下では、前記中和が十分に行われない。この場合、酸性の強い前記ドレンがそのまま下水管等に排出されるものとなる。
【０００６】
請求項１の発明は、ドレン中和容器(2) 内の中和剤の反応を促進できる保温装置を提供することを課題とする。
【０００７】
【課題を解決するための手段】
請求項１の発明の課題解決手段は、『燃焼排気に含まれる水蒸気の凝縮により生成されたドレンを通過させるように設けられ且つ内蔵した中和剤により前記ドレンを中和するドレン中和容器(2)と、このドレン中和容器(2)を前記燃焼排気の熱に基づいて加熱する加熱手段(4)とを具備し、
前記燃焼排気を生成するバーナ装置(40)と、前記燃焼排気からの吸熱により通水管内の水を昇温する熱交換器(1a)と、を内蔵した熱交換装置(1)が設けられ、前記ドレン中和容器(2)は、前記吸熱により前記熱交換器(1a)の表面に生じたドレンを前記熱交換装置(1)から排出するドレン排出経路(11)に設けられ、前記加熱手段(4)は、前記通水管を通過した温水によって前記ドレン中和容器(2)を加熱する構成であり、
前記中和剤の反応促進の必要性を検知する検知手段(5)と、この検知手段(5)の検知出力に応答して前記加熱手段(4)を能動化させ且つ前記加熱手段における温水の温度制御を行う制御手段(6)とを具備する』ことを特徴とする。
【０００９】
このものでは、前記バーナ装置(40)により生成された燃焼排気の熱が前記熱交換器(1a)に吸収される。この吸熱によって、前記熱交換器(1a)の表面には、ドレンが生じる。このドレンは、前記ドレン排出経路(11)を介して排出され、前記ドレン中和容器(2)に流入する。
一方、前記中和剤の反応が低下する条件下にあるとき、前記検知手段(5)によって、中和剤の反応促進の必要性が検知される。この検知手段(5)からの検知出力に応答する前記制御手段(6)によって、前記加熱手段(4)が能動化され且つ前記温水の温度制御が行われる。これにより、前記吸熱によって、前記熱交換器(1a)の前記通水管内の水が昇温され、前記通水管を通過した温水によって、前記ドレン中和容器(2)が加熱され、そして、前記ドレン中和容器(2)が所定温度範囲の保温状態に維持される。
【００１０】
従って、前記流入したドレンは、前記加熱により保温状態にある前記ドレン中和容器(2)内の中和剤により中和されるものとなる。
この請求項１の記載中、『前記加熱手段(4)は、前記通水管を通過した温水によって前記ドレン中和容器(2)を加熱する構成である』とは、具体的には、請求項２の発明のように、『前記温水は、前記ドレン中和容器(2)の外面に巻き付けられた加熱管部(31)を通過する』ものや、請求項３の発明のように、『前記温水は、前記ドレン中和容器(2)の構成壁の内面と外面との間に設けられる通水路(32)を通過する』ものや、請求項４の発明のように、『前記温水は、前記ドレン中和容器(2)の構成壁を貫通してその内部に挿通される加熱管部(31)を通過する』ものでもよい。
【００１２】
【発明の効果】
以上説明したように、請求項１の発明では、前記中和剤の反応が低下する条件下にあるとき、前記ドレン中和容器(2)が所定温度範囲の保温状態に維持されるから、前記中和剤の中和反応が促進される。
よって、冬期等に於いて前記ドレン中和容器(2)が低温条件下にある場合でも、上記加熱手段(4)によって、ドレン中和容器(2)が保温状態に維持されるから、前記中和剤によるドレンの中和反応が促進される。
【００１３】
又、前記加熱手段(4)は、前記ドレンを発生させる前記燃焼排気の熱に基づいて前記ドレン中和容器(2)を加熱するものであるから、前記加熱の為の手段を前記燃焼排気の生成源以外に別途設ける必要がない。従って、前記加熱の為の手段を別途設けたものに比べて、この保温装置の全体構成が簡単となる。
更に、上記温水により前記ドレン中和装置(2)を加熱する構成であるから、前記加熱の為の装置を容易に製作できる。尚、熱交換器(1a)の通水管の下流側に接続された出湯管により前記温水を導く構成としてもよく、この場合、前記構成がより一層簡素化される。
【００１５】
【発明の実施の形態】
以下、本願発明の実施の形態を、図面に基づいて説明する。
［実施の形態１］
図１は、本願発明の実施の形態１の給湯器を構成する熱交換装置(1) 及びドレン中和容器(2) の保温装置の説明図であり、図２は、図１の熱交換装置(1) のドレン排出経路(11)に設けられるドレン中和容器(2) 及び貯留容器(2a)の断面図である。図３は、図２の貯留容器(2a)の動作説明図である。そして、図４は、図１及び図２のドレン中和容器(2) に巻き付けられた加熱管部(31)の拡大断面図である。
【００１６】
＊熱交換装置(1) ＊
図１に示すように、熱交換装置(1) は、缶体(10)内に主・副熱交換器(12)(13)を収容した構成であり、缶体(10)内に於ける主・副熱交換器(12)(13)の上方には、バーナ(14)が設けられている。又、缶体(10)の上端には、バーナ(14)に燃焼用の外気を供給するファン(15)が連設されている。これらバーナ(14)とファン(15)とにより既述請求項２に記載のバーナ装置(40)が構成され、このバーナ装置(40)により、燃焼排気が生成される。
【００１７】
主熱交換器(12)は、副熱交換器(13)よりもバーナ(14)側（燃焼排気の流れの上流側）にあり、しかも、主熱交換器(12)の通水管は、副熱交換器(13)の通水管の下流側に接続されている。又、副熱交換器(13)の通水管の上流側には、副熱交換器(13)に水を送り込む給水経路(17)が接続され、主熱交換器(12)の通水管の下流側には、主・副熱交換器(12)(13)にて加熱された湯を送り出す出湯経路(18)が接続されている。
【００１８】
このものでは、バーナ装置(40)からの燃焼排気は、まず主熱交換器(12)を通過し、このとき、主熱交換器(12)によって前記燃焼排気から顕熱が吸収される。この後、副熱交換器(13)を通過するときに、この副熱交換器(13)によって前記燃焼排気から潜熱が吸収される。この潜熱吸収によって、前記燃焼排気に含まれる水蒸気が露点以下に冷やされ、前記水蒸気が凝縮されることにより、主として副熱交換器(13)にドレンが生じる。前記凝縮に際して、前記燃焼排気中の窒素酸化物等の酸性の腐食成分が前記ドレンに溶け込む。
【００１９】
又、缶体(10)には、バーナ(14)にガスを供給する為のガス供給経路(14a) と、前記燃焼排気を缶体(10)から排出する排気通路(16)と、前記ドレンを缶体(10)から排出するドレン排出経路(11)が接続されている。ドレン排出経路(11)には、後述の貯留容器(2a)及びドレン中和容器(2) が設けられている。
＊貯留容器(2a)＊
貯留容器(2a)は、図１及び図２に示すように、全体として、矩形箱状に形成されている。そして、この貯留容器(2a)は、ドレン排出経路(11)に接続したドレン流入管(210) が上方から挿入され且つ熱交換装置(1) からのドレンを貯める封水室(21)と、この封水室(21)に連設され且つ封水室(21)からオーバーフローした前記ドレンを貯める貯留室(22)と、この貯留室(22)に対して封水室(21)の反対側に連設されたサイフォン(23)と、からなる。
【００２０】
サイフォン(23)は、貯留室(22)の下端に対して連通孔(240) を介して連通した空室(24)と、この空室(24)内に上下方向に設けられたドレン排出管(25)と、からなる。そして、ドレン排出管(25)（例えば、直径６ｍｍ）と空室(24)の天板(26)との間には、ドレン排出管(25)の径及びドレンの表面張力とドレンの水位上昇スピードを考慮して、水位上昇時に天板(26)の下方に空気溜りを生じさせない程度の間隙（例えば、５ｍｍ）が設けられている。尚、天板(26)は、封水室(21)のオーバーフロー水位よりも僅かに低位に設けられている。
【００２１】
＊ドレン中和容器(2) ＊
ドレン中和容器(2) は、ドレン排出管(25)の下端に接続された略鉛直姿勢の筒体であり、その内径は、ドレン排出管(25)の内径よりも大きく設定されている。このドレン中和容器(2) 内には、酸化マグネシウムや炭酸カルシウム等の粒体からなる中和剤(20)(20)が収容されている。そして、このドレン中和容器(2) の下端には、下流側のドレン排出経路(11)が接続されている。
【００２２】
又、このドレン中和容器(2) の構成壁には、このドレン中和容器(2) の温度を検知する温度センサ(5a)が備えられている。この温度センサ(5a)から出力される検知信号が後述の制御回路(61)に印加される。
＊温水経路(300) ＊
上記した出湯経路(18)には、この出湯経路(18)から分岐するように温水経路(300) が接続されている。この温水経路(300) の下流端は、上記した給水経路(17)に対して、この給水経路(17)に合流するように接続されている。又、この温水経路(300) には、出湯経路(18)の温水を吸引して給水経路(17)に送り出すポンプ(30)が設けられている。
【００２３】
この温水経路(300) には、上記した貯留容器(2a)及びドレン中和容器(2) の外面に巻き付けられた加熱管部(31)が具備されている。この加熱管部(31)は、図４に示すように、円形断面であり、貯留容器(2a)及びドレン中和容器(2) の外面にロウ材(38)(38)により固着されている。
更に、この実施の形態１では、加熱管部(31)を流れる温水の温度を制御する構成となっている。
【００２４】
具体的には、給水経路(17)に於ける温水経路(300) との接続部の上流側から、温水経路(300) に於ける加熱管部(31)より上流側に冷水を送る冷水経路(35)が設けられている。この冷水経路(35)には、前記冷水の流量を調節する為の第２流量調節弁(92)が設けられている。又、温水経路(300) に於ける冷水経路(35)との合流点の上流側には、出湯経路(18)から温水経路(300) に流れる温水の流量を調節する為の第１流量調節弁(91)が設けられている。
【００２５】
又、第１・第２流量調節弁(91)(92)の動作を含め、熱交換装置(1) の出湯動作を制御する為の制御回路(61)が設けられている。この制御回路(61)のマイクロコンピュータに格納された制御プログラムに基づいて熱交換装置(1) 及び第１・第２流量調節弁(91)(92)の動作が制御される。
＊給湯器の動作について＊
図５は、図１の給湯器の制御回路(61)の制御プログラムを示すフローチャートである。尚、この制御プログラムは、前記給湯器への電源投入によりスタートする。
【００２６】
以下に、図５に基づいて、前記給湯器の動作を具体的に説明する。
前記給湯器の運転スイッチ（図示せず）がオンとなると、この給湯器が運転状態となる（ステップ(70)、(73)）。この運転状態では、給水経路(17)からの冷水は、上記したように、主・副熱交換器(12)(13)を通過する際に、バーナ(14)からの燃焼排気の熱により昇温され、温水となる。この温水は、出湯経路(18)を介して、台所や風呂に供給される。
【００２７】
又、この運転状態では、主として副熱交換器(13)にて生じたドレンがドレン排出経路(11)及びドレン流入管(210) を介して、貯留容器(2a)の封水室(21)に流入する。このドレンは、図２に示すように、封水室(21)からオーバーフローして貯留室(22)に流入して貯められる。
この貯留室(22)内のドレンの水位は、前記流入により上昇するが、貯留室(22)と空室(24)とが連通孔(240) を介して連通されていることから、空室(24)の水位が貯留室(22)の水位と同様に上昇する。
【００２８】
そして、空室(24)内のドレンは、その水位がドレン排出管(25)の上端を越えると、前記上端と天板(26)との間に表面張力により空気溜りのない状態で介在される。これにより、ドレン排出管(25)の上端開口がドレンにより塞がれる（図３ーａの状態）。この閉塞動作は、貯留室(22)のドレン水位の上昇よりも僅かに先行する。この後、貯留室(22)のドレン水位が天板(26)と同じ高さに達すると、空室(24)内の圧力が所定圧力に達して、ドレン排出管(25)の閉塞状態が破れる。これにより、空室(24)内のドレンがドレン排出管(26)に流入し、その吸引負圧によって、空室(24)及び貯留室(22)のドレンがドレン排出管(26)に流入し、ドレン中和容器(2) 内に流出する。そして、前記ドレン水位が連通孔(240) に一致した時点で空室(24)内に空気が入って前記吸引負圧が消失し、ドレン排出が終了する（図３ーｂの状態）。
【００２９】
このものでは、貯留室(22)へのドレン流入とサイフォン(23)による貯留室(22)からのドレン排出とが繰り返し実行される。
ドレン中和容器(2) 内に流入したドレンは、このドレン中和容器(2) 内を下方に通過する。このとき、前記ドレンは、中和剤(20)(20)と接触することによって中和される。この中和されたドレンは、ドレン中和容器(2) から下流側のドレン排出経路(11)に排出される。
【００３０】
一方、この給湯器の上記運転スイッチがオンとなると、ステップ(74)にて、温水経路(300) のポンプ(30)がオンとなり、出湯経路(18)から温水経路(300) に温水が流れる。
又、前記運転スイッチがオンとなると、ステップ(71)にて、ドレン中和容器(2) に備えられた温度センサ(5a)の検知温度が第１設定温度(51)（例えば、２５℃）以下か否かが判定される。
【００３１】
外気温が低く、前記検知温度が第１設定温度(51)以下であった場合には、ステップ(72)に進み、このステップ(72)にて、第１流量調節弁(91)が全開に、第２流量調節弁(92)が全閉となる。これにより、加熱管部(31)に流れる前記温水の熱によって、貯留容器(2a)及びドレン中和容器(2) の温度が上昇する。そして、前記検知温度が第１設定温度(51)（例えば、２５℃）となると、第１流量調節弁(91)の開度を小さくし、第２流量調節弁(92)の開度を大きくする（ステップ(75)、(76)）。これにより、加熱管部(31)に流入する冷水経路(35)からの冷水の供給量が増加し、前記温水の温度が低下し、貯留容器(2a)及びドレン中和容器(2) の温度が低下する。更に、前記検知温度が第１設定温度(51)よりも低い第２設定温度(52)（例えば、２０℃）以下になると、それまでとは逆に、第１流量調節弁(91)の開度を大きくし、第２流量調節弁(92)の開度を小さくする（ステップ(77)、(78)）。これにより、前記冷水の供給量が減少し、前記温水の温度が上昇する。以後、上記運転スイッチがオフとなるまで、これらステップ(75)〜(78)が繰り返し実行される。
【００３２】
外気温が高く、ステップ(71)にて、前記検知温度が第１設定温度(51)以上であると判定された場合には、上記したステップ(72)は、実行されずに、ステップ(76)にて、第１流量調節弁(91)の開度を小さくし、第２流量調節弁(92)の開度を大きくする動作が実行される。これにより、前記温水の温度が低下し、貯留容器(2a)及びドレン中和容器(2) の温度が低下する。この後、上記と同様のステップ(75)〜(78)が繰り返し実行される。
【００３３】
以上の温度制御により、貯留容器(2a)及びドレン中和容器(2) が所定温度範囲（２０〜２５℃程度）内に維持される。
上記運転スイッチがオフとなると、給湯器及びポンプ(30)を停止させる（ステップ(79)、(80)、(81)）。
このものでは、温水経路(300) の加熱管部(31)が貯留容器(2a)及びドレン中和容器(2) に巻き付けられた状態でロウ付けされているから、前記温水の熱が、加熱管部(31)から、貯留容器(2a)及びドレン中和容器(2) に、伝わる。これにより、貯留容器(2a)及びドレン中和容器(2) が保温状態に維持される。
【００３４】
従って、ドレン中和容器(2) の構成壁を介して内部の中和剤(20)(20)に前記熱が伝わり、中和剤(20)(20)と、ドレン中和容器(2) に流入するドレンとの中和反応が促進される。加えて、貯留容器(2a)が前記保温状態に維持されることから、貯留容器(2a)からドレン中和容器(2) に流入するドレンも保温状態となる。これにより、前記中和反応の促進効果がより一層向上する。
【００３５】
このものでは、主・副熱交換器(12)(13)〜温水経路(300)が既述請求項１に記載の加熱手段(4)である。又、主・副熱交換器(12)(13)が既述請求項１に記載の熱交換器(1a)である。尚、この実施の形態に於ける第１・第２流量調節弁(91)(92)の代わりに、電磁弁等の開閉弁を用いてもよい。
【００３６】
又、第１・第２流量調節弁(91)(92)の内の一方の流量調節弁のみを備えるものでもよい。この場合、前記流量調節弁の開度を変化させることにより、加熱管部(31)へ流れる温水と冷水の混合割合が調節され、上記実施の形態と同様の作用を奏する。又、冷水経路(35)を設けず、温度センサ(5a)の検知温度に基づいて第１流量調節弁(91)の開度を設定する構成としてもよい。
【００３７】
［実施の形態２］
図６は、実施の形態２の温水暖房システムの説明図である。
【００３８】
同図に示すように、この温水暖房システムに用いられる熱交換装置(1)、貯留容器(2a)及びドレン中和容器(2)は、上記実施の形態１と同じ構成である。そして、この温水暖房システムでは、熱交換装置(1)の主熱交換器(12)の通水管の下流端と副熱交換器(13)の通水管の上流端とをつなぐように、循環経路(400)が設けられている。この循環経路(400)には、床暖房用放熱器等の放熱装置(37)、及び、ポンプ(30)が設けられている。又、この循環経路(400)に於ける放熱装置(37)より下流側の経路の一部が貯留容器(2a)及びドレン中和容器(2)に巻き付けられおり、この巻き付けられた部分が既述請求項２に記載の加熱管部(31)である。
【００３９】
そして、この温水暖房システムには、上記実施の形態１と同様の制御回路(61)（図示せず）が具備されている。この制御回路(61)の制御プログラムによって、この温水暖房システムの運転が制御される。又、前記運転の停止状態にて、循環経路(400) 内の循環水、貯留容器(2a)内のドレン、及び、ドレン中和容器(2) 内のドレンの凍結を防止する為の制御が実行される。
【００４０】
図７は、図６の温水暖房システムの制御回路(61)の制御プログラムを示すフローチャートである。図７に示すように、この温水暖房システムの運転スイッチ（図示せず）をオンとすると、この温水暖房システムが運転状態となる（ステップ(83)、(84)）。つまり、熱交換装置(1)が動作状態となると共に、ポンプ(30)がオンとなり、循環経路(400)に温水が流れる。この温水の熱は、放熱装置(37)にて放熱され、前記温水の温度が低下する。この後、貯留容器(2a)及びドレン中和容器(2)に巻き付けられた加熱管部(31)を通過する際に、前記温水の余熱によって、貯留容器(2a)及びドレン中和容器(2)が保温状態に維持される。これにより、上記実施の形態１と同様に、ドレンの中和反応が促進される。
【００４１】
前記温水は、加熱管部(31)を通過することによりその温度が更に低下するが、副・主熱交換器(13)(12)に戻り、再加熱される。このような温水の循環は、前記運転スイッチがオフとなるまで継続される（ステップ(84)、(85)）。
前記運転スイッチがオフとなると、この温水暖房システムの運転が停止される（ステップ(85)、(86)）。
【００４２】
そして、この温水暖房システムの運転停止中、上記実施の形態１と同様に、ドレン中和容器(2) に設けられた温度センサ(5a)の検知温度が第３設定温度(53)（例えば、３℃）以下となると、この温水暖房システムを低出力運転する（ステップ(87)、(88)）。この運転により、循環経路(400) 内の通水が加熱され、貯留容器(2a)及びドレン中和容器(2) が加熱される。
【００４３】
前記検知温度が第４設定温度(54)（例えば、１０℃）に達した時点で、この温水暖房システムの運転を停止する（ステップ(89)、(90)）。これにより、貯留容器(2a)及びドレン中和容器(2) の加熱が終了する。従って、運転停止中でも、前記低出力運転により貯留容器(2a)及びドレン中和容器(2) が所定温度範囲（３℃〜１０℃）に維持されるものとなり、循環経路(400) 内の循環水、貯留容器(2a)内の貯留ドレン、及び、ドレン中和容器(2) の内壁に付着したドレンの凍結が防止される。
【００４４】
このものでは、温度センサ(5a)が既述請求項１に記載の検知手段(5)である。尚、検知手段(5)は、ドレン中和容器(2)の凍結防止の必要性を検知するものであるかぎり、温度センサ(5a)に限定されない。例えば、バイメタル式の温度スイッチにより検知するものでもよく、又、気温を検知したり、循環経路(400)内の水温を検知してもよい。
【００４５】
尚、上記した実施の形態１に於いても、この実施の形態２のように、温度センサ(5a)の検知温度に基づいて温水経路(300)に温水を循環させる凍結防止運転を行う構成を採用できる。
［実施の形態３］
図８は、実施の形態３の温水暖房システムの説明図である。
【００４６】
この実施の形態３は、上記した実施の形態２の温水暖房システムに於いて、循環経路(400)にバイパス接続した温水経路(300)を設け、この温水経路(300)に上記の加熱管部(31)を備えたものである。又、前記の温水経路(300)には、第１流量調節弁(91)が設けられており、ドレン中和容器(2)に備えられた温度センサ(5a)の検知温度に基づいて、加熱管部(31)を流れる温水の温度が制御される。
［他の実施の形態］
【００４７】
１．図９に示すように、ドレン中和容器(2)とこれに巻き付けられた加熱管部(31)とを保温材(44)により被覆した構成としてもよい。このものでは、加熱管部(31)からドレン中和容器(2)への熱の伝導ロスが小さくなり、ドレン中和容器(2)の加熱効率が向上する。
２．図１０に示すように、加熱管部(31)は、その断面の一部が直線状に形成された扁平部(311)を具備する構成とし、この扁平部(311)がドレン中和容器(2)の外面に接する構成としてもよい。この場合、加熱管部(31)とドレン中和容器(2)との接触面積が大きくなるから、加熱管部(31)からドレン中和容器(2)への熱伝導率が向上する。尚、この場合の加熱管部(31)をドレン中和容器(2)にロウ付けしてもよいことは言うまでもない。
【００４８】
３．図１１及び図１２に示すように、ドレン中和容器(2)の胴部の構成壁の内面と外面との間に螺旋状に形成された通水路(32)に温水を流すものでもよい。又、図１３に示すように、前記構成壁を、内筒(201)と外筒(202)とから構成し、その相互間の間隙部に前記温水を流すようにしてもよい。前記間隙部が前記通水路(32)として機能する。
【００４９】
４．図１４に示すように、ドレン中和容器(2)の構成壁を貫通してその内部に挿通される加熱管部(31)に前記温水を流すようにしてもよい。
【図面の簡単な説明】
【図１】  本願発明の実施の形態１の給湯器を構成する熱交換装置(1)及びドレン中和容器(2)の保温装置の説明図
【図２】  図１の熱交換装置(1)のドレン排出経路(11)に設けられるドレン中和容器(2)及び貯留容器(2a)の断面図
【図３】  図２の貯留容器(2a)の動作説明図
【図４】  図１及び図２のドレン中和容器(2)に巻き付けられた加熱管部(31)の拡大断面図
【図５】  図１の給湯器の制御回路(61)の制御プログラムを示すフローチャート
【図６】  実施の形態２の温水暖房システムの説明図
【図７】  図６の温水暖房システムの制御回路(61)の制御プログラムを示すフローチャート
【図８】  実施の形態３の温水暖房システムの説明図
【図９】  他の実施の形態のドレン中和容器(2)の保温装置の説明図
【図１０】  他の実施の形態の加熱管部(31)の断面図
【図１１】  他の実施の形態のドレン中和容器(2)の縦断面図
【図１２】  図１１のドレン中和容器(2)のＶＩＩＩ−ＶＩＩＩ断面図
【図１３】  他の実施の形態のドレン中和容器(2)の縦断面図
【図１４】  他の実施の形態のドレン中和容器(2)の縦断面図
【図１５】  従来の給湯器に於ける熱交換装置(1)とドレン中和容器(2)の説明図
【符号の説明】
(2) ・・・ドレン中和容器
(4) ・・・加熱手段
(1) ・・・熱交換装置
(1a)・・・熱交換器
(11)・・・ドレン排出経路
(5) ・・・検知手段
(6) ・・・制御手段
【図１】
0003732885.tif 000002
【図２】
0003732885.tif 000003
【図３】
0003732885.tif 000004
【図４】
0003732885.tif 000005
【図５】
0003732885.tif 000006
【図６】
0003732885.tif 000007
【図７】
0003732885.tif 000008
【図８】
0003732885.tif 000009
【図９】
0003732885.tif 000010
【図１０】
0003732885.tif 000011
【図１１】
0003732885.tif 000012
【図１２】
0003732885.tif 000013
【図１３】
0003732885.tif 000014
【図１４】
0003732885.tif 000015
【図１５】
0003732885.tif 000016